(57)【要約】【課題】エレベータロープの状態に対応してエレベータロープに給油することができるエレベータロープ給油装置を得る。【解決手段】ロープ３の状態を示すロープ状態情報を取得するロープ状態情報取得装置と、ロープ状態情報取得装置により取得されたロープ状態情報に基づいて、ロープ３に給油する給油装置７２、給油装置８２および給油装置９２とを備え、ロープ状態情報には、ロープ３の劣化の程度を示す劣化度情報と、ロープの破断を示す破断情報とが含まれており、ロープ状態情報取得装置は、エレベータの運行状態記録を用いて劣化度情報を算出する劣化度情報算出装置１０１と、ロープ３の破断を検出するロープテスタ７１、ロープテスタ８１およびロープテスタ９１とを有している。【選択図】図１
2014037305.tif 000002
【特許請求の範囲】
【請求項１】
エレベータロープの状態を示すロープ状態情報を取得するロープ状態情報取得装置と、
前記ロープ状態情報取得装置により取得された前記ロープ状態情報に基づいて、前記エレベータロープに給油する給油装置と
を備えたことを特徴とするエレベータロープ給油装置。
【請求項２】
前記ロープ状態情報には、前記エレベータロープの劣化の程度を示す劣化度情報が含まれており、
前記ロープ状態情報取得装置は、エレベータの運行状態記録を用いて前記劣化度情報を算出する劣化度情報算出装置を有していることを特徴とする請求項１に記載のエレベータロープ給油装置。
【請求項３】
前記ロープ状態情報には、前記エレベータロープの破断を示す破断情報が含まれており、
前記ロープ状態情報取得装置は、前記エレベータロープの破断を検出するロープテスタを有していることを特徴とする請求項１または請求項２に記載のエレベータロープ給油装置。
【請求項４】
前記ロープ状態情報取得装置は、前記エレベータロープの長手方向についての複数の部分におけるそれぞれの前記ロープ状態情報を取得し、
前記給油装置は、それぞれの前記ロープ状態情報に基づいて、それぞれの前記ロープ状態情報に対応する前記エレベータロープの部分に給油することを特徴とする請求項１ないし請求項３の何れか１項に記載のエレベータロープ給油装置。
【請求項５】
昇降路を昇降する昇降体の移動速度または前記給油装置から噴射される油の噴出速度を制御する制御装置をさらに備え、
前記給油装置は、前記昇降路または前記昇降体に取り付けられており、
前記制御装置は、それぞれの前記ロープ状態情報に基づいた量の油が、それぞれの前記ロープ状態情報に対応する前記エレベータロープの部分に補給されるように、前記昇降体の移動速度または前記給油装置から噴射される油の噴射速度を制御することを特徴とする請求項４に記載のエレベータロープ給油装置。
【請求項６】
エレベータロープの状態を示すロープ状態情報を取得するロープ状態情報取得装置と、前記エレベータロープに給油する給油装置とを備えたエレベータロープ給油装置を用いたエレベータロープ給油方法であって、
前記ロープ状態情報取得装置が前記ロープ状態情報を取得するロープ状態情報取得工程と、
前記ロープ状態情報取得工程で取得された前記ロープ状態情報に基づいて、前記給油装置が前記エレベータロープに給油する給油工程と
を備えたことを特徴とするエレベータロープ給油方法。
【発明の詳細な説明】
【技術分野】
【０００１】
この発明は、エレベータロープに給油するエレベータロープ給油装置およびエレベータロープ給油方法に関する。
【背景技術】
【０００２】
従来、予め設定されたタイミングで、エレベータロープに給油する給油装置を備えたエレベータロープ給油装置が知られている（例えば、特許文献１参照）。
【先行技術文献】
【特許文献】
【０００３】
【特許文献１】特開２００９−１６７００６号公報
【発明の概要】
【発明が解決しようとする課題】
【０００４】
しかしながら、エレベータロープの状態は、かごの積載重量およびエレベータの起動回数などのエレベータの運行状況によって変化する。したがって、エレベータロープの状態に対応してエレベータロープに給油することができないという問題点があった。
【０００５】
この発明は、エレベータロープの状態に対応してエレベータロープに給油することができるエレベータロープ給油装置およびエレベータロープ給油方法を提供するものである。
【課題を解決するための手段】
【０００６】
この発明に係るエレベータロープ給油装置は、エレベータロープの状態を示すロープ状態情報を取得するロープ状態情報取得装置と、前記ロープ状態情報取得装置により取得された前記ロープ状態情報に基づいて、前記エレベータロープに給油する給油装置とを備えている。
【０００７】
この発明に係るエレベータロープ給油方法は、エレベータロープの状態を示すロープ状態情報を取得するロープ状態情報取得装置と、前記エレベータロープに給油する給油装置とを備えたエレベータロープ給油装置を用いたエレベータロープ給油方法であって、前記ロープ状態情報取得装置が前記ロープ状態情報を取得するロープ状態情報取得工程と、前記ロープ状態情報取得工程で取得された前記ロープ状態情報に基づいて、前記給油装置が前記エレベータロープに給油する給油工程とを備えている。
【発明の効果】
【０００８】
この発明に係るエレベータロープ給油装置によれば、エレベータロープの状態を示すロープ状態情報を取得するロープ状態情報取得装置と、ロープ状態情報取得装置により取得されたロープ状態情報に基づいて、エレベータロープに給油する給油装置とを備えているので、エレベータロープの状態に対応してエレベータロープに給油することができる。
【０００９】
この発明に係るエレベータロープ給油方法によれば、ロープ状態情報取得装置がロープ状態情報を取得するロープ状態情報取得工程と、ロープ状態情報取得工程で取得されたロープ状態情報に基づいて、給油装置がエレベータロープに給油する給油工程とを備えているので、エレベータロープの状態に対応してエレベータロープに給油することができる。
【図面の簡単な説明】
【００１０】
【図１】この発明の実施の形態１に係るエレベータを示す側面図である。
【図２】図１のエレベータロープ給油装置を示すブロック図である。
【図３】図２のエレベータロープ給油装置の動作を示すフローチャートである。
【発明を実施するための形態】
【００１１】
実施の形態１．
図１はこの発明の実施の形態１に係るエレベータを示す側面図である。図において、エレベータは、機械室レスエレベータであって、昇降路１００を昇降するかご（昇降体）１と、かご１とともに昇降路１００を昇降する釣合錘（昇降体）２と、両端部が昇降路１００の上壁２００に接続されたロープ（エレベータロープ）３と、かご１と釣合錘２との間のロープ３の部分が巻き掛けられ、駆動することによりロープ３を移動させる巻上機４と、かご１と巻上機４との間のロープ３の部分が巻き掛けられたかご側返し車５と、釣合錘２と巻上機４との間のロープ３の部分が巻き掛けられた釣合錘側返し車６とを備えている。巻上機４は、昇降路１００の床３００に取り付けられている。かご側返し車５および釣合錘側返し車６は、上壁２００に取り付けられている。
【００１２】
かご１は、かご本体１１と、かご本体１１の下端部に設けられた一対のかご吊り車１２とを有している。各かご吊り車１２には、ロープ３が巻き掛けられている。
【００１３】
釣合錘２は、釣合錘本体２１と、釣合錘本体２１の上端部に設けられた釣合錘吊り車２２とを有している。釣合錘吊り車２２には、ロープ３が巻き掛けられている。
【００１４】
ロープ３は、かご吊り車１２、かご側返し車５、巻上機４、釣合錘側返し車６、釣合錘吊り車２２の順に巻き掛けられている。巻上機４がロープ３を移動させることにより、かご１および釣合錘２が互いに反対方向に昇降する。ロープ３は、かご吊り車１２、かご側返し車５、巻上機４、釣合錘側返し車６、釣合錘吊り車２２により曲げられる。
【００１５】
また、エレベータは、かご本体１１に設けられかご１とともに昇降する給油システム７と、釣合錘本体２１に設けられ釣合錘２とともに昇降する給油システム８と、床３００に設けられた給油システム９と、巻上機４、給油システム７、給油システム８および給油システム９を制御するエレベータ制御盤１０とをさらに備えている。給油システム７、給油システム８、給油システム９およびエレベータ制御盤１０からエレベータロープ給油装置が構成されている。
【００１６】
図２は図１のエレベータロープ給油装置を示すブロック図である。図において、給油システム７は、ロープ３の破断を検出するロープテスタ７１と、ロープ３に給油する給油装置７２とを有している。給油システム８は、ロープ３の破断を検出するロープテスタ８１と、ロープ３に給油する給油装置８２とを有している。給油システム９は、ロープ３の破断を検出するロープテスタ９１と、ロープ３に給油する給油装置９２とを有している。
【００１７】
ロープテスタ７１、ロープテスタ８１およびロープテスタ９１は、磁力を用いてロープ３を構成するストランドの破断およびストランドを構成する素線の破断を検出する。ロープテスタ７１、ロープテスタ８１およびロープテスタ９１のそれぞれは、ロープ３の長手方向について互いに異なるロープ３の部分の破断を検出する。つまり、ロープテスタ７１、ロープテスタ８１およびロープテスタ９１のそれぞれの検出領域は、ロープ３の長手方向について互いに異なっている。また、ロープテスタ７１、ロープテスタ８１およびロープテスタ９１のそれぞれは、それぞれの検出領域において、ロープ３の長手方向についての複数の部分におけるロープ３の破断を検出する。ロープテスタ７１、ロープテスタ８１およびロープテスタ９１によって、ロープ３の破断が全長に渡って検出される。
【００１８】
給油装置７２は、ロープテスタ７１の検出領域にあるロープ３の部分に給油する。給油装置８２は、ロープテスタ８１の検出領域にあるロープ３の部分に給油する。給油装置９２は、ロープテスタ９１の検出領域にあるロープ３の部分に給油する。
【００１９】
エレベータ制御盤１０は、エレベータの運行状態記録を用いてロープ３の劣化の程度を示す劣化度情報を算出する劣化度情報算出装置１０１と、かご１および釣合錘２の移動速度と給油装置７２、給油装置８２および給油装置９２のそれぞれから噴射される油の噴出速度とを制御する制御装置１０２とを有している。
【００２０】
エレベータの運行状態記録には、かごの積載重量、エレベータの起動回数およびロープ３の曲げ回数など、ロープ３の劣化度情報の算出に必要な情報が含まれている。劣化度情報算出装置１０１は、ロープ３の長手方向についての複数の部分におけるロープ３の劣化度情報を算出する。また、劣化度情報算出装置１０１は、ロープ３の全長に渡って劣化度情報を算出する。ロープ３の劣化度情報には、１〜５のレベルの情報が含まれており、劣化の程度が大きいほどレベルを示す数字が大きくなる。
【００２１】
ロープテスタ７１、ロープテスタ８１およびロープテスタ９１が検出するロープ３の破断を示す破断情報と劣化度情報算出装置１０１が算出する劣化度情報とからロープ３の状態を示すロープ状態情報が構成されている。ロープ状態情報には、ロープ３の補給される油の量を示す情報が含まれている。ロープ３に補給される油の量は、ロープの破断情報およびロープ３の劣化度情報に対応して設定されている。
【００２２】
制御装置１０２は、ロープ３の長手方向についての複数の部分におけるそれぞれのロープ状態情報に基づいた油の量が、それぞれのロープ状態情報に対応するロープ３の部分に補給されるように、かご１および釣合錘２の移動速度と給油装置７２、給油装置８２および給油装置９２のそれぞれから噴射される油の噴出速度とを制御する。この例では、制御装置１０２は、かご１および釣合錘２の移動速度を一定にして、給油装置７２、給油装置８２および給油装置９２のそれぞれから噴射される油の噴出速度を制御して、ロープ３に補給される油の量を調節する。
【００２３】
ロープテスタ７１、ロープテスタ８１、ロープテスタ９１および劣化度情報算出装置１０１からロープ状態情報取得装置が構成されている。
【００２４】
次に、エレベータロープ給油装置の動作について説明する。図３は図１のエレベータロープ給油装置の動作を示すフローチャートである。エレベータロープ給油装置は、エレベータの保守運転または診断運転が実施される場合に動作する。まず、ロープテスタ７１、ロープテスタ８１およびロープテスタ９１がロープ３の破断の検出を開始し、劣化度情報算出装置１０１がロープ３の劣化度情報を算出する。つまり、ロープ状態情報取得装置がロープ状態情報を取得する（ロープ状態情報取得工程）（ステップＳ１０１）。
【００２５】
その後、制御装置１０２は、ロープ状態情報取得装置が取得したロープ状態情報に基づいて、給油すべきロープ３の部分があるか否かを判定する（給油判定工程）（ステップＳ１０２）。ステップＳ１０２で、給油すべきロープ３の部分がないと判定されると、ステップＳ１０１に戻る。
【００２６】
一方、ステップＳ１０３で、給油すべき部分があると判定されると、制御装置１０２は、給油すべきロープ３の部分への給油を実施する（給油工程）（ステップＳ１０３）。このとき、制御装置１０２は、かご１および釣合錘２の移動速度を一定にして、ロープ３の長手方向についての複数の部分におけるロープ状態情報に基づいた量の油が、それぞれのロープ状態情報に対応するロープ３の部分に補給されるように、油の噴射速度を制御する。給油すべきロープ３の部分への給油が完了すると、エレベータロープ給油装置によるロープ３への給油が終了する。
【００２７】
以上説明したように、この発明の実施の形態１に係るエレベータロープ給油装置によれば、ロープ３の状態を示すロープ状態情報を取得するロープ状態情報取得装置と、ロープ状態情報取得装置により取得されたロープ状態情報に基づいて、ロープ３に給油する給油装置７２、給油装置８２および給油装置９２とを備えているので、ロープ３の状態に対応してロープ３に給油することができる。
【００２８】
また、ロープ状態情報には、ロープ３の劣化の程度を示す劣化度情報が含まれており、ロープ状態情報取得装置は、エレベータの運行状態記録を用いて劣化度情報を算出する劣化度情報算出装置を有しているので、エレベータロープ給油装置は、エレベータの実際の運行状態によって想定される油の減少に対応してロープ３の部分に給油して、ロープ３の劣化の進行を抑制することができる。
【００２９】
また、ロープ状態情報には、ロープ３の破断を示す破断情報が含まれており、ロープ状態情報取得装置は、ロープ３の破断を検出するロープテスタ７１、ロープテスタ８１およびロープテスタ９１を有しているので、エレベータロープ給油装置は、破断が検出されたロープ３の部分に給油して、ロープ３の劣化の進行を抑制することができる。
【００３０】
また、ロープ状態情報取得装置は、ロープ３の長手方向についての複数の部分におけるそれぞれのロープ状態情報を取得し、給油装置７２、給油装置８２および給油装置９２は、それぞれのロープ状態情報に基づいて、それぞれのロープ状態情報に対応するロープ３の部分に給油するので、ロープ３の部分の状態に対応してロープ３の部分に給油することができる。
【００３１】
また、エレベータロープ給油装置は、給油装置７２、給油装置８２および給油装置９２から噴射される油の噴出速度を制御する制御装置１０２を備え、給油装置７２はかご１に取り付けられ、給油装置８２は釣合錘２に取り付けられ、給油装置９２は昇降路１００に取り付けられており、制御装置１０２は、それぞれのロープ状態情報に基づいた量の油が、それぞれのロープ状態情報に対応するロープ３の部分に補給されるように、給油装置７２、給油装置８２および給油装置９２から噴射される油の噴射速度を制御するので、かご１および釣合錘２の移動速度を一定にして、ロープ３に給油することができる。
【００３２】
また、この発明の実施の形態１に係るエレベータロープ給油方法によれば、ロープ状態情報取得装置がロープ状態情報を取得するロープ状態情報取得工程と、ロープ状態情報取得工程で取得されたロープ状態情報に基づいて、給油装置７２、給油装置８２および給油装置９２がロープ３に給油する給油工程とを備えているので、ロープ３の状態に対応してロープ３に給油することができる。
【００３３】
なお、上記実施の形態１では、制御装置１０２が、かご１および釣合錘２の移動速度を一定にして、給油装置７２、給油装置８２および給油装置９２のそれぞれから噴射される油の噴出速度を制御して、ロープ３に補給される油の量を調節する構成について説明したが、給油装置７２、給油装置８２および給油装置９２のそれぞれから噴射される油の噴出速度を一定にして、かご１および釣合錘２の移動速度を制御して、ロープ３に補給される油の量を調節する構成であってもよい。この場合、給油装置７２、給油装置８２および給油装置９２のそれぞれは、互いに異なるタイミングでロープ３に給油する。これにより、給油装置７２、給油装置８２および給油装置９２のそれぞれから噴射される油の噴出速度を一定にして、ロープ３に給油することができる。
【００３４】
また、上記実施の形態１では、エレベータロープとして、かご１および釣合錘２を昇降させるロープ３を例に説明したが、かご１とともに移動し、かご１の過速度を検出するために調速機ロープであってもよい。
【００３５】
また、上記実施の形態１では、エレベータロープ給油装置が機械室レスエレベータに設置された場合を例に説明したが、これに限定するものではなく、昇降路１００外に機械室が設置されるエレベータにエレベータロープ給油装置が設置される場合であってもよい。
【００３６】
また、上記実施の形態１では、３個の給油システム、つまり、給油システム７、給油システム８および給油システム９が、それぞれ、かご１、床３００および釣合錘２に設置されている構成について説明したが、給油システムの設置数および設置箇所は、これに限定するものではなく、ロープ３の掛け渡し方法（１：１ローピング、２：１ローピング、巻胴式など）、機械室レスタイプのエレベータ、機械室設置タイプのエレベータ、高層専用タイプの油圧式エレベータなど、エレベータのタイプに応じて返し車や吊り車などの設置箇所や設置数が異なるため、エレベータのタイプに応じてエレベータロープ給油装置の給油システムの設置数、設置箇所を適宜選択することができる。
【符号の説明】
【００３７】
１  かご（昇降体）、２  釣合錘（昇降体）、３  ロープ（エレベータロープ）、４  巻上機、５  かご側返し車、６  釣合錘側返し車、７  給油システム、８  給油システム、９  給油システム、１０  エレベータ制御盤、１１  かご本体、１２  かご吊り車、２１  釣合錘本体、２２  釣合錘吊り車、７１  ロープテスタ、７２  給油装置、８１  ロープテスタ、８２  給油装置、９１  ロープテスタ、９２  給油装置、１００  昇降路、１０１  劣化度情報算出装置、１０２  制御装置、２００  上壁、３００  床。
【図１】
2014037305.tif 000003
【図２】
2014037305.tif 000004
【図３】
2014037305.tif 000005